(57)【要約】【課題】可逆冷却ループを用いて自動車の客室を加熱および／または空調する方法。本発明方法は屋外の温度が−１５℃以下であるときに特に有用である。本発明方法は熱機関と電気モータとを交互に用いて運転するように設計されたハイブリッド自動車で用いることもできる。【解決手段】可逆冷却ループ中を流れる冷却剤が２，３，３，３−テトラフルオロプロペンを含む。【選択図】図１
2020040663.tif 000002
【特許請求の範囲】
【請求項１】
第１熱交換器と、膨張弁と、第２熱交換器と、圧縮器と、冷却剤の流れの方向を逆にする手段を有する、内部を冷却剤が流れる可逆冷却ループを用いて自動車の客室を加熱および／または空調する方法において、
上記冷却剤が２，３，３，３−テトラフルオロプロペンから成ることを特徴とする方法。
【請求項２】
上記冷却剤が飽和および不飽和のヒドロフルオロカーボンを含む請求項１に記載の方法。
【請求項３】
第１交換器および第２交換器が空気／冷却剤型である請求項１または２に記載の方法。
【請求項４】
冷却ループが熱機関の冷却回路に熱的に結合されている請求項１〜３のいずれか一項に記載の方法。
【請求項５】
第１熱交換器を冷却剤と自動車の熱機関からの排ガスの両方が同時に流れる請求項１〜４のいずれか一項に記載の方法。
【請求項６】
上記冷却ループが自動車の熱機関に入る空気流または自動車の熱機関から放出される放出ガスと熱的に連結する少なくとも一つの熱交換器を分路（derivation）として有する請求項１〜５のいずれか一項に記載の方法。
【請求項７】
冷却ループが、熱機関および／またはバッテリーからエネルギーを回収するために車両に設置される請求項１〜６のいずれか一項に記載の方法。
【請求項８】
請求項１〜７のいずれか一項に記載の可逆冷却ループを備えた装置。
【発明の詳細な説明】
【技術分野】
【０００１】
本発明は、自動車の客室を加熱および／または空調する方法に関するものである。
【背景技術】
【０００２】
自動車の熱機関（moteur thermique）は熱機関の冷却と客室の加熱に用いられる熱伝導流体が流れる回路を有している。この回路はポンプと空気加熱器を有し、この空気加熱器を空気流が通り、熱交換器流体が蓄えた熱を回収して客室を加熱する。
【０００３】
客室を冷却する空調系は蒸発器、圧縮器、凝縮器、膨張弁および一般に冷却剤とよばれる状態を変える（液体と気体との間）ことができる流体を有している。圧縮器はベルトとプーリーを用いて自動車機関によって直接駆動され、冷却剤を圧縮し、冷却剤を高圧、高温下で凝縮器へ戻す。凝縮器は強制換気され、高圧、高温の気体状態で来る気体を凝縮する。凝縮器はその中を流れる空気の温度を下げて、気体を液化する。蒸発器は客室に送る空気から熱を取る熱交換器である。膨張弁は蒸発器の温度および圧力に応じて通路断面積を変え、ループへの気体の流入を調節できる。外部からの熱は蒸発器を通って冷却される。
【０００４】
自動車の空調で一般に用いられる冷却剤は１，１，１，２−テトラフルオロエタン（ＨＦＣ−１３４ａ）である。
【０００５】
特許文献１（国際特許第ＷＯ ２００８／１０７６２３号公報）に記載の自動車エネルギー管理システムは冷却剤が循環する可逆冷却ループと、冷却モード位置とヒートポンプモード位置との間を移動可能な冷却ループの動作サイクルの逆転手段と、冷却剤からエネルギーを回収するための少なくとも一つの第１源と、冷却剤を蒸発させ、その流体を液体から二相状態へ膨張させる少なくとも第２源とを有し、上記逆転手段は、それがヒートポンプモードに対応する位置と同じ位置にあるときには、冷却剤を第１回収源から少なくとも一つの蒸発源へ流すことができる。
【０００６】
しかし、この特許文献１に記載の系で冷却剤としてＨＦＣ−１３４ａを用い且つ外部温度が約−１５℃の場合には、圧縮器が起動する前にすでに蒸発器内で圧力降下が始まり、この圧力降下によって空気が系内に侵入し、腐食現象が促進され、圧縮器、交換器および膨張弁等の部品が劣化する。
【先行技術文献】
【特許文献】
【０００７】
【特許文献１】国際特許第ＷＯ ２００８／１０７６２３号公報
【発明の概要】
【発明が解決しようとする課題】
【０００８】
本発明の目的は、圧縮器の起動時に冷却ループの蒸発器へ空気が侵入するのを防止し、および／または、冷却ループの効率を向上させることにある。
【課題を解決するための手段】
【０００９】
本発明の対象は、第１熱交換器と、膨張弁と、第２熱交換器と、圧縮器と、冷却剤の流れの方向を逆にする手段とを有する、内部を冷却剤が流れる可逆冷却ループを用いて自動車の客室を加熱および／または空調する方法において、上記冷却剤が２，３，３，３−テトラフルオロプロペンから成ることを特徴とする方法にある。
【図面の簡単な説明】
【００１０】
【図１】本発明の第１実施例の概念図。
【図２】本発明の第２実施例の概念図。
【図３】本発明の第３実施例の概念図。
【図４】本発明の第４実施例の概念図。
【図５】圧縮器の等エントロピー効率を圧縮率の関数で表したグラフ。
【発明を実施するための形態】
【００１１】
冷却ループ内の冷却剤の流れ方向を逆にして冷却ループの動作サイクルを逆にする上記手段は四方弁にすることができる。
冷却剤は２，３，３，３−テトラフルオロプロペンに加えて飽和または不飽和のヒドロフルオロカーボンを含むことができる。
飽和ヒドロフルオロカーボンの例としては特にジフルオロメタン、ジフルオロエタン、テトラフルオロエタンおよびペンタフルオロエタンが挙げられる。
不飽和ヒドロフルオロカーボンの例としては特に１，３，３，３−テトラフルオロプロペン、トリフルオロプロペン、例えば３，３，３−トリフルオロプロペンおよびモノクロロトリフルオロプロペン、例えば１−クロロ，３，３，３−トリフルオロプロペンおよび２−クロロ，３，３，３−トリフルオロプロペンが挙げられる。
【００１２】
下記組成物は本発明の方法で冷却剤として用いるのに適している：
８０〜９８重量％の２，３，３，３−テトラフルオロプロペンと、２〜２０重量％のジフルオロメタン、
４０〜９５重量％の２，３，３，３−テトラフルオロプロペンと、５〜６０重量％の１，１，１，２−テトラフルオロエタン、
９０〜９８重量％の２，３，３，３−テトラフルオロプロペンと、２〜１０重量％のジフルオロエタン、
９０〜９８重量％の２，３，３，３−テトラフルオロプロペンと、２〜１０重量％のペンタフルオロエタン。
【００１３】
下記の組成物は本発明方法の冷却剤として用いるのに特に適している：
９０〜９８重量％の２，３，３，３−テトラフルオロプロペンと、２〜２０重量％のジフルオロメタン、
９０〜９５重量％の２，３，３，３−テトラフルオロプロペンと、５〜１０重量％の１，１，１，２−テトラフルオロエタン、
９５〜９８重量％の２，３，３，３−テトラフルオロプロペンと、２〜５重量％のジフルオロエタン、
９５〜９８重量％の２，３，３，３−テトラフルオロプロペンき、２〜５重量％のペンタフルオロエタン。
主として２，３，３，３−テトラフルオロプロペンを含む組成物が特に好ましい。
【００１４】
本発明の冷却剤は２，３，３，３−テトラフルオロプロペンの安定剤をさらに含むことができる。安定剤としては特にニトロメタン、アスコルビン酸、テレフタル酸、アゾ−ル、例えばトルトリアゾールまたはベンゾトリアゾ−ル、フェノール化合物、例えばトコフェノール、ヒドロキノン、t-ブチルヒドロキノン、２，６−ジ−tert−ブチル−４−メチルフェノール、エポキシド（アルキル、フッ素化またはパーフッ素化されていてもよく、また、アルケニルまたは芳香族でもよい）、例えばｎ−ブチルグリシジルエーテル、ヘキサンジオールジグリシジルエーテル、アリルグリシジルエーテル、ブチルフェニルグリシジルエーテル、ホスファイト、ホスフェート、ホスホネート、チオールおよびラクトンが挙げられる。
【００１５】
第１熱交換器は、冷却モードまたはヒートポンプモードのループの動作モードに応じて蒸発器またはエネルギー回収装置の役目をする。同じことが第２熱交換器にもいえる。冷却モードでは第２交換器を自動車の客室に吹き込まれる空気流の冷却に使用できる。ヒートポンプモードでは第２交換器を自動車の客室への空気流を加熱するのに使用できる。
【００１６】
第１熱交換器および第２熱交換器は空気／冷却剤型である。
【００１７】
本発明方法では熱交換器を介して冷却ループを熱機関の冷却回路に熱的に結合できる。従って、冷却ループは少なくとも一つの熱交換器を有し、この熱交換器中を冷却剤と熱交換機流体、特に熱機関冷却回路の空気または水とが同時に流れる。
【００１８】
本発明方法の変形例では、第１熱交換器中を冷却剤と自動車の熱機関からの放出ガスとの両方が同時に流れる。後者は熱交換器流体回路と熱的に連結できる。
【００１９】
本発明方法では、冷却ループは分路として少なくとも一つの熱交換器を有することができ、この熱交換器は自動車の熱機関に入る空気流または自動車の熱機関からの放出ガスと熱的に連結する。
【００２０】
本発明方法は、外部温度が約−１５℃以下、好ましくは−２０℃以下であるときに特に適している。
【００２１】
本発明方法は、熱機関と電気モータを交互に用いて運転するように設計されたハイブリ
ッド自動車にも同様に適している。本発明方法は、客室とバッテリーの両方に対して気候条件（高温または低温）に応じてエネルギーを最良に管理し、特に、熱交換器流体回路を介してバッテリーに温熱または冷熱を供給できる。
【００２２】
２，３，３，３−テトラフルオロプロペンを含む冷却剤が流れる可逆冷却ループを自動車に備えたものは、熱機関からのエネルギーを回収および／または低温起動時に客室の加熱およびの熱機関の加熱のために使用するバッテリーに特に適している。この可逆冷却ループにポンプを備えることによって、ランキンモード（すなわち、圧縮器がタービンの役目をする）で運転し、熱機関で生成され、熱交換器後に冷却剤によって運ばれる熱エネルギーを有効利用することができる。
本発明はさらに、上記冷却ループを備えた装置にも関するものである。
【実施例】
【００２３】
［図１］は本発明の第１実施例の冷却ループ（１６）の概念図を示し、第１熱交換器（１３）と、膨張弁（１４）と、第２熱交換器（１５）と、圧縮器（１１）と、四方弁（１２）とを備えている。第１熱交換器および第２熱交換器は空気／冷却剤型である。第１熱交換器（１３）には冷却ループ（１６）の冷却剤とファンから送られる空気流が通る。この空気流の一部または全部はさらに機関冷却回路の熱交換器（図示せず）を通る。同様に、ファンから送られる空気流は第２熱交換器（１５）を通る。この空気流の一部または全部はさらに機関冷却回路の別の熱交換器（図示せず）を通る。
【００２４】
空気流の方向は冷却ループ（１６）の動作モードと、熱機関の必要条件との関数である。すなわち、熱機関が定常モードで且つ冷却ループ（１６）がヒートポンプモードの場合には、空気は熱機関の冷却回路の交換器で加熱された後に、交換器（１３）に送られ、冷却ループ（１６）の流体の蒸発を加速し、それによって、この冷却ループの性能を向上させることができる。
【００２５】
冷却回路の熱交換器は熱機関の必要条件（熱機関に流入する空気の加熱または熱機関が生じるエネルギーの有効利用）に応じて弁を用いて作動できる。
【００２６】
冷却モード時には、圧縮器（１１）によって圧縮された冷却剤が弁（１２）を通って流れ、さらに凝縮器の役目（熱を外に放出）をする熱交換器（１３）を流れ、さらに膨張弁（１４）を通り、次いで蒸発器の役目をする交換器（１５）を通る。従って、自動車の客室に吹き込まれる空気流が冷却される。
【００２７】
ヒートポンプモード時には、冷却剤の流れ方向を弁（１２）で逆にする。従って、熱交換器（１５）が凝縮器の役目をし、交換器（１３）が蒸発器の役目をする。熱交換器（１５）は自動車の客室の空気流を加熱するのに用いることができる。
【００２８】
［図２］の概念図で示す本発明の第２実施例の冷却ループ（２６）では、第１熱交換器（２３）と、膨張弁（２４）と、第２熱交換器（２５）と、圧縮器（２１）と、四方弁（２２）と、冷却モードでの流体の流れに対して一端が交換器（２３）の出口に連結され且つ他端が交換器（２５）の出口に連結された分路（ｄ３）とを備える。この分路は熱交換器（ｄ１）（この熱交換器中を熱機関に入る空気流または放出ガス流が通る）と、膨張弁（ｄ２）とを備える。第１熱交換器および第２熱交換器（２３、２５）は空気／冷却剤型である。冷却ループ（２６）の冷却剤およびファンから供給される空気流は第１熱交換器（２３）を通る。この空気流の一部または全部はさらに機関冷却回路の熱交換器（図示せず）を通る。同様に、ファンから送られる空気流は第２熱交換器（２５）を通る。この空気流の一部または全部はさらに機関冷却回路の別の熱交換器（図示せず）を通る。
【００２９】
空気流の方向はループ（２６）の運転モードおよび熱機関の必要条件の関数である。例えば、熱機関が定常モードで且つ冷却ループ（２６）がヒートポンプモードの場合には、空気は熱機関冷却回路の熱交換器で加熱された後、熱交換器（２３）に送られ、冷却ループ（２６）の流体の蒸発を加速する。従って、この冷却ループの性能を向上できる。冷却回路の熱交換器は熱機関の必要条件（熱機関に流入する空気の加熱またはこの熱機関が生じるエネルギーの有効利用）に応じて弁によって作動できる。
【００３０】
熱交換器（ｄ１）は冷却モードまたはヒートポンプモードのいずれかのエネルギー必要条件に従って作動できる。この分路（ｄ３）に逆止弁を取り付けて、分路（ｄ３）を作動または停止させることができる。
【００３１】
ファンによって送られた空気流は熱交換器（ｄ１）を通る。同じ空気流が熱機関の冷却回路の別の熱交換器を通ることができ、さらに、放出ガス回路、熱機関の空気取り入れ口またはハイブリッド自動車のバッテリーに設けた他の熱交換器を通ることもできる。
【００３２】
［図３］の概念図で示す本発明の第３実施例の冷却ループ（３６）は第１熱交換器（３３）と、膨張弁（３４）と、第２熱交換器（３５）と、圧縮器（３１）と、四方弁（３２）とを備える。第１熱交換器および第２熱交換器（３３、３５）は空気／冷却剤型である。これらの熱交換器（３３、３５）の動作は［図１］に示す第１実施例の動作と同じである。冷却ループ回路（３６）と熱機関の冷却回路または第２グリコール−水回路の両方に２つの流体／液体交換器（３８、３７）を付ける。中間気体流体（空気）の無いこの流体／液体交換器を取り付けることによって空気／流体交換器に対する熱交換が向上する。
【００３３】
［図４］の概念図で示す本発明の第４実施例の冷却ループ（４６）は、第１熱交換器セット（４３、４８）と、膨張弁（４４）と、第２熱交換器セット（４５、４７）と、圧縮器（４１）と、四方弁（４２）とを備える。分路（ｄ１）は冷却モードでの流体の流れに対して一端が交換器（４３）の出口に連結され且つ他端が交換器（４７）の出口に連結される。この分路は熱交換器（ｄ１）（熱機関に入る空気流または放出ガス流れが通る）と、膨張弁（ｄ２）とを備える。この分路の動作は［図２］に示す第２実施例の動作と同じである。
熱交換器（４３、４５）は空気／冷却剤型であり、交換器（４８、４７）は液体／冷却剤型である。これらの交換器の動作は［図３］に示す第３実施例のものと同じである。
【００３４】
実験部分
車両でのヒートポンプ運転条件での冷却剤の性能のシミュレーションを凝縮器温度を３０℃に固定して行った。
凝縮温度：＋３０℃（T cond）
圧縮器入口温度：＋５℃（Te comp）
蒸発器Pは蒸発器の圧力。
凝縮器Pは凝縮器の圧力。
圧縮器出口Tは圧縮器出口温度。
圧縮率：圧縮率は低圧に対する高圧の比。
COP:これは性能係数（coefficient de performance）で、ヒートポンプの場合、系に供給される有効熱能力を系が受け取ったまたは消費した動力で割ったもので定義される。
CAP:これは容積能力（capacite volumetrique）すなわち容積単位当たりの熱能力（ｋＪ／ｍ3）である。
%CAPまたはCOPは２，３，３，３−テトラフルオロプロペン（HFO-1234yf）のHFC-134aのそれに対するＣＡＰまたはＣＯＰの値の比である。
圧縮器の等エントロピー効率：これは流体に伝達される実際のエネルギーと等エントロピーエネルギーとの比である。
圧縮器の等エントロピー効率は圧縮率の関数として表される（［図５］）。
η＝ａ＋ｂτ＋ｃ・τ2＋ｄ・τ3＋ｅ・τ4
η：等エントロピー効率
τ：圧縮率
ａ、ｂ、ｃ、ｅ：定数
【００３５】
定数ａ、ｂ、ｃ、ｄ、ｅの値は下記文献に記載の標準効率曲線から求めた。
【非特許文献１】Shan K.Wang、「空調および冷凍の手引き」
【００３６】
HFC-134aの場合は、ＣＯＰおよび蒸発器の圧力は蒸発温度とともに下がる。
【表１】
2020040663.tif 000003
【００３７】
HFO-1234yfの場合は、同じ条件下で以下の通り：
【表２】
2020040663.tif 000004
【００３８】
HFO-1234yfは、蒸発器圧力がHFC-134aを用いた場合よりも高い。従って、系を極めて低い温度で運転する場合、空気が系に侵入するのを制限するのに役立つ。
HFO-1234yfは、同じ圧縮器で、極めて低い温度で、HFC-134aよりもの性能が良い。加熱モードで且つ凝縮温度が３０℃の場合、HFO-1234yfは圧縮器の効率が良く、ＣＯＰおよび能力が良い。
【図１】
2020040663.tif 000005
【図２】
2020040663.tif 000006
【図３】
2020040663.tif 000007
【図４】
2020040663.tif 000008
【図５】
2020040663.tif 000009
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
第１熱交換器と、膨張弁と、第２熱交換器と、圧縮器と、冷却剤の流れの方向を逆にする手段を有する、内部を冷却剤が流れる可逆冷却ループを用いて自動車の客室を加熱する方法において、
上記冷却剤が２，３，３，３−テトラフルオロプロペンから成ることを特徴とする方法。
【請求項２】
上記冷却剤が飽和および不飽和のヒドロフルオロカーボンを含む請求項１に記載の方法。
【請求項３】
第１交換器および第２交換器が空気／冷却剤型である請求項１または２に記載の方法。
【請求項４】
冷却ループが熱機関の冷却回路に熱的に結合されている請求項１〜３のいずれか一項に記載の方法。
【請求項５】
第１熱交換器を冷却剤と自動車の熱機関からの排ガスの両方が同時に流れる請求項１〜４のいずれか一項に記載の方法。
【請求項６】
上記冷却ループが自動車の熱機関に入る空気流または自動車の熱機関から放出される放出ガスと熱的に連結する少なくとも一つの熱交換器を分路（derivation）として有する請求項１〜５のいずれか一項に記載の方法。
【請求項７】
冷却ループが、熱機関および／またはバッテリーからエネルギーを回収するために車両に設置される請求項１〜６のいずれか一項に記載の方法。
【請求項８】
請求項１〜７のいずれか一項に記載の可逆冷却ループを備えた装置。